(57)【要約】厚さを小さく抑えつつ指向性が良好なウェアラブルアンテナ装置を提供する。ウェアラブルアンテナ装置は、身体（４）の一部を収容する身体収容部（１ａ）を有する衣服（１）の一部に取り付けられているアンテナ部（２）と、衣服（１）の、少なくとも一部が身体収容部（１ａ）を挟んでアンテナ部（２）と対向する位置にある機能素子（３）と、を含む。機能素子（３）は、もう１つのアンテナ部であるか、または電波の反射と遮蔽と吸収の少なくとも１つを行う素子である。
2018203462.tif 000002
【特許請求の範囲】
【請求項１】
身体の一部を収容する身体収容部を有する衣服の一部に取り付けられているアンテナ部と、前記衣服の、少なくとも一部が前記身体収容部を挟んで前記アンテナ部と対向する位置にある機能素子と、を含み、前記機能素子は、もう１つのアンテナ部であるか、または電波の反射と遮蔽と吸収の少なくとも１つを行う素子である、ウェアラブルアンテナ装置。
【請求項２】
前記アンテナ部と前記機能素子のいずれか一方は前記衣服の前面側に配置されており、他方は前記衣服の背面側に配置されている、請求項１に記載のウェアラブルアンテナ装置。
【請求項３】
前記アンテナ部と前記機能素子は、前記衣服の身体に近接する側である内側に配置されている、請求項１または２に記載のウェアラブルアンテナ装置。
【請求項４】
前記アンテナ部と前記機能素子は、前記身体収容部に収容されている身体に密着するように配置されている、請求項１から３のいずれか１項に記載のウェアラブルアンテナ装置。
【請求項５】
前記アンテナ部と前記機能素子は、導電性の糸、布、インク、及びフィルムの少なくとも１つを含み、可撓性を有している、請求項１から４のいずれか１項に記載のウェアラブルアンテナ装置。
【請求項６】
前記アンテナ部と前記機能素子のいずれか一方または両方を前記衣服に取り付けるための衣料用着脱機構を有し、前記衣料用着脱機構は、面ファスナー、ファスナー、ボタン、及びスナップボタンの少なくとも１つを含む、請求項１から５のいずれか１項に記載のウェアラブルアンテナ装置。
【請求項７】
前記機能素子は電波の反射と遮蔽と吸収の少なくとも１つを行う素子であり、前記機能素子には電波吸収体が設けられている、請求項１から６のいずれか１項に記載のウェアラブルアンテナ装置。
【発明の詳細な説明】
【技術分野】
【０００１】
本開示はウェアラブルアンテナ装置に関する。
【背景技術】
【０００２】
近年、携帯電話や無線ＬＡＮ（Local Area Network）やＷｉＭＡＸ（Worldwide Interoperability for Microwave Access）など、屋外における様々な無線通信サービスが使用できるようになっている。また、ワイヤレスマイクやトランシーバー等を用いた音声伝送や無線でのデジタル画像伝送も普及し、限られた周波数を有効に利用するためには電波法に基づく周波数の割り当て管理が重要である。【０００３】
また、スポーツ等の大規模なイベント（オリンピック、パラリンピック、各種競技のワールドカップなど）には世界各国の報道機関が集まり、映像データや音声データを各種の無線通信機器を用いてリアルタイムで伝送する。そのため、例えば各国の報道機関ごとに異なる周波数が割り当てられる。各国の報道機関がいずれも円滑な通信を行うためには、それぞれに割り当てられた周波数を正しく使用することが望ましい。【０００４】
このような周波数の割り当てが正しく守られていることを確認するために電波の監視が行われている。電波監視用のアンテナには、広範囲の周波数の電波を監視するための広帯域性能が求められる。そして、大規模なイベントの会場には大勢の観客と報道機関が集まり混雑するため、人混みの中でもスムーズに移動しながら電波を監視することができるウェアラブルアンテナ装置のニーズが高くなっている。特許文献１には、シャツなどの衣服に、平面状導電性シートを有するアンテナが装着または縫い付けられた構成が開示されている。特許文献２には、ブレザーやジャケットなどの衣服に面ファスナー等を用いて平面型のアンテナが取り付けられた構成が開示されている。
【先行技術文献】
【特許文献】
【０００５】
【特許文献１】特開２０１０−２００２００号公報
【特許文献２】特許５５１６４２２号公報
【発明の概要】
【発明が解決しようとする課題】
【０００６】
ウェアラブルアンテナ装置は立体的ではなく平面型のアンテナ素子で構成されるのが一般的である。広帯域性能を有する平面型アンテナ素子としてはボウタイアンテナやスパイラルアンテナなどがある。しかし、ボウタイアンテナやスパイラルアンテナは指向性が広く、アンテナ素子を含む平面に対して直交する正面方向とその反対方向とにおいて電波の受信レベルが同等であり、特定方向のみに指向性を集中させることが困難である。このことは、電波監視時に電波発信源の探索を行う上で不利である。【０００７】
特許文献１に開示されている構成では、平面状導電性シートの周縁形状が描く曲線の上辺および下辺の電流に起因する指向性を調整することができる。しかしながら、この構成では、平面状導電性シートに直交する方向における指向性については特に考慮されていない。また、特許文献２に開示されている構成でも、平面型アンテナに直交する方向における指向性については特に考慮されていない。【０００８】
平面型のアンテナの指向性を特定方向に集中させるために、アンテナ素子からの距離が約λ／４である位置に反射板や金属製キャビティを配置することが考えられる。反射板やキャビティの最適な位置（アンテナ素子からの最適な距離）は周波数に応じて異なる。広帯域の周波数の電波を受信するアンテナの場合には、アンテナ素子に対して特定の位置に反射板や金属製キャビティを固定的に配置すると、周波数によっては反射板やキャビティからの反射波の影響でアンテナ性能が大きく劣化する問題が生じる。その対策として、反射板やキャビティに電波吸収体を貼り付け、反射波を減衰させることがある。しかし、アンテナ素子に反射板やキャビティを積層し、さらにその反射板またはキャビティに電波吸収体を設けると、ウェアラブルアンテナ装置の厚さが大きくなり、そのウェアラブルアンテナ装置を身に付けた際に使用者に違和感を与える。例えば、このようなウェアラブルアンテナ装置を組み込んだ衣服を着用すると着心地が悪く好ましくない。【０００９】
そこで、本開示の目的の少なくとも１つは、前述した課題を解決して、厚さを小さく抑えつつ指向性が良好なウェアラブルアンテナ装置を提供することにある。
【課題を解決するための手段】
【００１０】
本開示のウェアラブルアンテナ装置は、身体の一部を収容する身体収容部を有する衣服の一部に取り付けられているアンテナ部と、衣服の、少なくとも一部が身体収容部を挟んでアンテナ部と対向する位置にある機能素子と、を含み、機能素子は、もう１つのアンテナ部であるか、または電波の反射と遮蔽と吸収の少なくとも１つを行う素子である。
【発明の効果】
【００１１】
本開示によると、厚さを小さく抑えつつ指向性が良好なウェアラブルアンテナ装置を提供することができる。
【図面の簡単な説明】
【００１２】
【図１】本開示の第１の実施形態のウェアラブルアンテナ装置を模式的に示す断面図である。
【図２Ａ】本開示の第２の実施形態のウェアラブルアンテナ装置の展開図である。
【図２Ｂ】図２Ａに示すウェアラブルアンテナ装置の衣服の前身頃の内側を示す正面図である。
【図２Ｃ】図２Ａに示すウェアラブルアンテナ装置の衣服の後身頃の内側を示す正面図である。
【図３】図２Ａに示すウェアラブルアンテナ装置の分解図である。
【図４】図２Ａに示すウェアラブルアンテナ装置のアンテナ部の一部の拡大正面図である。
【図５Ａ】図４に示すアンテナ部に取り付けられる給電部材の正面図である。
【図５Ｂ】図５Ａに示す給電部材の背面図である。
【図６Ａ】本開示の第２の実施形態のウェアラブルアンテナ装置の変形例の衣服の前身頃の内側を示す正面図である。
【図６Ｂ】図６Ａに示すウェアラブルアンテナ装置のアンテナ部を示す正面図である。
【図６Ｃ】図６Ｂに示すアンテナ部の一部の拡大正面図である。
【図７Ａ】本開示の第３の実施形態のウェアラブルアンテナ装置の衣服の前身頃の内側を示す正面図である。
【図７Ｂ】図７Ａに示すウェアラブルアンテナ装置のアンテナ部を取り外した状態の展開図である。
【図７Ｃ】本開示の第３の実施形態のウェアラブルアンテナ装置の変形例の衣服の前身頃の内側を示す正面図である。
【図８Ａ】本開示の第４の実施形態のウェアラブルアンテナ装置のアンテナ部を取り外した状態の展開図である。
【図８Ｂ】本開示の第４の実施形態のウェアラブルアンテナ装置のアンテナ部の正面図である。
【図８Ｃ】本開示の第４の実施形態のウェアラブルアンテナ装置の変形例のアンテナ部を示す正面図である。
【図９Ａ】本開示の第５の実施形態のウェアラブルアンテナ装置のアンテナ部を取り外した状態の展開図である。
【図９Ｂ】本開示の第５の実施形態のウェアラブルアンテナ装置のアンテナ部の正面図である。
【図９Ｃ】本開示の第５の実施形態のウェアラブルアンテナ装置の変形例のアンテナ部を示す正面図である。
【図１０Ａ】本開示の第６の実施形態のウェアラブルアンテナ装置の分解斜視図である。
【図１０Ｂ】図１０Ａに示すウェアラブルアンテナ装置の斜視図である。
【図１１】本開示の第７の実施形態のウェアラブルアンテナ装置を模式的に示す断面図である。
【発明を実施するための形態】
【００１３】
以下、本開示の実施の形態について説明する。
図１に模式的に示す本開示の第１の実施形態のウェアラブルアンテナ装置は、身体４の一部（２点鎖線にて模式的に図示）を収容する身体収容部１ａを有する衣服１に、アンテナ部２と機能素子３を有する。具体的には、アンテナ部２が衣服１の一部に配置され、機能素子３は、衣服１の、少なくとも一部が身体収容部１ａを挟んでアンテナ部２と対向する位置に配置されている。従って、アンテナ部２と機能素子３とは、少なくとも一部が身体収容部１ａを介して対向している。ここでは、便宜上、身体収容部１ａを中心としてアンテナ部２側を前方と称し、アンテナ部２と反対の方向を後方と称するが、これらは衣服着用時の人体の前方（腹部側）および後方（背中側）と一致していなくてもよい。
【００１４】
本実施形態の構成では、アンテナ部２と機能素子３との間に位置する身体収容部１ａに収容（挿入）される身体４が、周波数特性を有する誘電体として機能する。具体的には、特に身体４の主要成分である体内の水分が電波を吸収したり減衰させたりする。
【００１５】
さらに、機能素子３が、電波の反射と吸収と遮蔽のうちの少なくとも１つを行う素子であると、機能素子３が位置する方向からの電波は機能素子３に反射、吸収、または遮断されるとともに、機能素子３とアンテナ部２の間に位置する身体４に吸収または減衰される。従って、アンテナ部２まで到達する電波は低減する。その結果、アンテナ部２が電波の受信を行う際に、アンテナ部２の前方から到来する電波の受信レベルが高く、機能素子３および身体４側から到来する電波の受信レベルが低くなり、両方向の受信レベルの差が大きくなる。従ってアンテナ部２の高指向性受信が実現する。このことは、例えば、アンテナ部２を、電波の監視を行って違法な電波の発信元を探索するための電波受信用のアンテナとして用いる上で非常に有効である。
【００１６】
アンテナ部２が電波を放射する際には、アンテナ部２から機能素子３および身体４の方へ向かう電波は、前述した例と同様に身体４に吸収または減衰されるとともに、機能素子３に反射、吸収、または遮断される。そのため、アンテナ部２から機能素子３および身体４の方へ向かう電波のレベルが低くなる。その結果、アンテナ部２から前方へ放射される電波のレベルが高く、機能素子３および身体４側へ向かう電波のレベルが低くなり、両方向のレベルの差が大きくなる。従って、アンテナ部２の高指向性送信が実現する。このように、アンテナ部２を用いた電波の受信においても送信においても、本実施形態は高い指向性を実現する。
【００１７】
特に、機能素子３が反射素子である場合には、アンテナ部２の前方から到来して機能素子３まで到達した電波を機能素子３が反射してアンテナ部２に再度向かわせる。そのため、アンテナ部２における電波の受信レベルまたは放射レベルがさらに高くなる可能性がある。ただし、機能素子３で反射された電波がアンテナ部２の性能に関して好ましくない影響を及ぼす可能性がある場合には、反射ではなく遮蔽または吸収の機能を有する機能素子３を設けるとよい。
【００１８】
また、機能素子３がもう１つのアンテナ部として機能する素子である場合にも、アンテナ部２と機能素子３の間に位置する身体４が誘電体として機能して電波の吸収や減衰を行うことが効果的である。すなわち、アンテナ部２から電波が放射されると、前方へは高レベルで電波が進行するが、機能素子３側へは、電波が身体４に吸収されたり減衰させられたりするため低レベルでしか電波が伝わらない。従って、もう１つのアンテナ部として機能する機能素子３の電波の受信や送信には、前方のアンテナ部２から放射される電波はあまり影響を及ぼさない。すなわち、機能素子３がもう１つのアンテナ部として電波の送信を行う際に、アンテナ部２側（前方）から到来する電波は身体４に吸収または減衰させられるため機能素子３にはあまり到達しない。その結果、アンテナ部２からの電波に影響されることなく、機能素子３は、アンテナ部２と反対側へ電波を放射できる。一方、機能素子３から放射されてアンテナ部２側（前方）へ向かう電波も身体４に吸収または減衰させられる。その結果、機能素子３は、アンテナ部２と同様に高指向性の電波送信が可能である。
【００１９】
機能素子３がもう１つのアンテナ部として電波の受信を行う際には、アンテナ部２から到来する電波は、身体４に吸収または減衰させられるため機能素子３にはあまり到達しない。その結果、アンテナ部として機能する機能素子３では、アンテナ部２と反対側からの電波の受信レベルは高く、アンテナ部２側（前方）からの電波の受信レベルは高いという高指向性が実現する。なお、アンテナ部２が電波を受信して機能素子３が電波を送信する場合には、アンテナ部２が指向性の高い受信を行い、機能素子３が指向性の高い送信を行うことができる。このことは、前述した説明のアンテナ部２と機能素子３とを入れ替えて読むことで理解できる。
【００２０】
アンテナ部２と機能素子３がいずれも電波の受信を行う場合には、両方の素子が指向性の高い受信を行える。それは、アンテナ部２と機能素子３の少なくとも一部が身体収容部１ａおよび身体４を挟んで対向しているため、アンテナ部２に対して、機能素子３側からの電波は身体４で吸収または減衰させられるからである。また、機能素子３に対して、アンテナ部２側からの電波は身体４で吸収または減衰させられるからである。
【００２１】
以上説明したように、本実施形態では、主に誘電体である身体４の作用で、アンテナ部２において指向性が高い電波の送受信を行うことができる。このような高指向性化のために、望まない方向から到来した電波のアンテナ部２への影響が小さく、また、アンテナ部２からの電波に起因する他部材への好ましくない影響も小さい。そのため、アンテナ部２を大型化することが可能である。それにより、高性能のウェアラブルアンテナ装置を構成することができる。そして、少なくとも一部が身体収容部１ａを挟んでアンテナ部２と対向する機能素子３が、電波を反射、吸収、または遮断する素子であると、アンテナ部２の電波の送受信の指向性がさらに向上し、さらなる大型化および高性能化が図れる。一方、機能素子３がもう１つのアンテナ部として機能する素子である場合には、主に誘電体である身体４の作用で、アンテナ部２と同様に機能素子３も高指向性の電波の送受信が行え、大型化および高性能化が図れる。前述したように、アンテナ部２が送信を行う場合と受信を行う場合のいずれであっても、また、機能素子３が電波の反射、吸収、または遮断を行う場合ともう１つのアンテナ部として機能する場合のいずれであっても、本実施形態は指向性の向上に寄与する。また、身体４の周波数特性を予め考慮した上で、アンテナ部２およびそれに接続される電気系統の設計を行うことで、身体４を誘電体として有効に利用することに加えて、実際の使用条件に応じて適切な（要求される仕様通りの）性能を有するウェアラブルアンテナ装置を形成することが容易にできる。
【００２２】
なお、図１に示す例では、アンテナ部２と機能素子３のほぼ全体が、身体収容部１ａを挟んで対向している。ただし、アンテナ部２と機能素子３のそれぞれの一部のみが身体収容部１ａを挟んで対向する構成であってもよい。すなわち、アンテナ部が衣服の一部に取り付けられ、衣服の、少なくとも一部が身体収容部を挟んでアンテナ部と対向する位置に、機能素子３が配置されている構成であってもよい。そのような構成も、身体収容部１ａに収容された身体４が電波を吸収または減衰することで少なくともアンテナ部２の電波の送受信の指向性の向上にある程度の効果が得られるため、本開示の範囲に含まれる。
【００２３】
本開示のウェアラブルアンテナ装置のより詳細な実施形態を以下に説明する。図２Ａは本開示の第２の実施形態のウェアラブルアンテナ装置の展開図である。図２Ｂはそのウェアラブルアンテナ装置の衣服の前身頃の内側を示す正面図である。図２Ｃはそのウェアラブルアンテナ装置の衣服の後身頃の内側を示す正面図である。図３はそのウェアラブルアンテナ装置の分解図であり、図４はそのウェアラブルアンテナ装置のアンテナ部の一部の拡大正面図である。図５Ａ、５Ｂはそのアンテナ部に取り付けられる給電部材の正面図および背面図である。
【００２４】
本実施形態において、ウェアラブルアンテナ装置は、前述した第１の実施形態と同様に、衣服１の一部に配置されたアンテナ部２と、衣服１の、少なくとも一部が身体収容部１ａを挟んで対向する位置に配置された機能素子３とを有する。本実施形態では、ウェアラブルアンテナ装置において、衣服１としてベストが用いられている。そして、ベスト１の前身頃にアンテナ部２が配置され、後身頃に機能素子３が配置されている。より詳しくは、図３に示すように、ベスト１の前身頃の内側（身体４に近接する側）に面ファスナー５が取り付けられている。そして、図２Ａ，２Ｂに示すように、アンテナ部２は、可撓性のあるシート状のベース７にスパイラルアンテナなどの平面型アンテナ素子８が形成されている。一例としては、布製や樹脂製の薄い絶縁性のベース７に、導電性の糸、布、インク、及び／又はフィルム等からなる螺旋状のスパイラルアンテナが形成されている。さらに、図２Ａ，２Ｂでは省略されているが図３，４に示すように、ベース７の、ベスト１の面ファスナー５と対向する位置に、面ファスナー６が取り付けられている。面ファスナー６は、アンテナ素子８上を避けて形成されていてもよいが、アンテナ素子８上に重なるように形成されていてもよい。図３に示す面ファスナー５と面ファスナー６とを接合させることで、アンテナ部２をベスト１の前身頃の内側（身体４に近接する側）に装着することができる。一方、図２Ａ，２Ｃ，３に示すように、ベスト１の後身頃の内側には、機能素子３が配置されている。アンテナ部２と機能素子３は同様な方法で形成することができ、例えば、導電性の糸、布、インク、フィルム等を用いて衣服１に直接形成することも、衣服１に間接的に取り付けることも可能である。一例としては、導電材のシートをベスト１の後身頃に貼り付けることや、導電性のインクをベスト１の後身頃に塗布することで、機能素子３を形成することができる。機能素子３は、図示されているように全面にわたって導電性材料が形成された構成であってもよく、また、導電性材料が例えばメッシュ状にパターニングされた構成であってもよく、導電性材料がその他の任意の形状に形成された構成であってもよい。
【００２５】
本実施形態では、図４に示すように、アンテナ素子８の一部（図示されている例ではスパイラルアンテナの最内周端）に、給電用スナップボタン９が設けられている。この給電用スナップボタン９には、図５Ａ，５Ｂに示す給電部材１４が取り付けられる。具体的には、給電用スナップボタン９に対応する給電用スナップボタン１０を有するプリント基板１１に同軸ケーブル１２が接続され、さらに同軸ケーブル１２がスペクトルアナライザーなどの電子機器１３に接続されて、給電部材１４が構成されている。この給電部材１４の給電用スナップボタン１０を、アンテナ部２の給電用スナップボタン９に嵌め込むことで、電子機器１３をアンテナ素子８に接続する。それにより、アンテナ部２で受信した電波を電子機器１３が解析したり、電子機器１３からの指令に従ってアンテナ部２から必要な電波を放射したりすることができる。なお、機能素子３がもう１つのアンテナ部として用いられる素子である場合には、図示しないが、同様な給電用スナップボタンや給電部材を設けて、機能素子３用の給電機構を形成することができる。
【００２６】
本実施形態では、アンテナ部２および機能素子３はベスト１の内側（身体４に近接する側、裏面）に装着されており、外側（表面）に装着される場合に比べて、身体収容部１ａ内の身体に近接して位置している。また、本実施形態のベスト１は、腰部に位置するサイドベルト部１ｂに設けられた面ファスナー１５を用いて、使用者の身体４に沿ってぴったり密着した状態に固定できる。これらの構成でアンテナ部２および機能素子３が身体４に密着して保持されると、アンテナ部２や機能素子３と、誘電体として機能する身体４との間に電波が回り込む隙間が生じない。すなわち、アンテナ部２と機能素子３とを電気的にできるだけ分離された状態に維持することができる。従って、アンテナ部２と機能素子３がそれぞれ独立して機能することができ、前述した指向性の向上等の効果を奏する信頼性が高い。また、アンテナ部２と機能素子３とが電波の回り込みで電気的に繋がってしまうことをあまり懸念することなく、アンテナ部２および機能素子３を大型化することができる。このことは、アンテナ部２と機能素子３の性能向上に大きく寄与する。ただし、アンテナ部２および機能素子３がベスト１の内側（身体側４、裏面）に装着される場合であっても、アンテナ素子８が身体４に直接接触して電気的に導通することがないように、図示しないシャツや布などで覆うようにする。なお、本実施形態において、アンテナ部２および機能素子３は、衣服としてのデザインや機能性を考慮して衣服（例えばベスト１）の外側（表面）に装着され得る。また、アンテナ部２および機能素子３は、身体４にあまり密着しない状態に保持される場合もあり得る。そのような場合であっても、本実施形態の構成は、前述したように電波の送受信の指向性の向上や、それに伴う効果を得るために有効である。
【００２７】
また、本実施形態では、衣服（ベスト）１の着用時の人体の前面側（前方、腹部側）にアンテナ部２が配置され、その反対側、すなわち背面側（後方、背中側）に機能素子３が配置されている。それにより、人体の前方、すなわちベスト１を着用した使用者の視線の先に指向性が集中するため、例えば違法な電波を受信した時にその発生源を探索する作業を行うことが、非常に容易である。
【００２８】
図６Ａ〜６Ｃは、本実施形態の変形例を示す図である。この変形例では、アンテナ素子８が、円形や略円形の螺旋状ではなく四角形のスパイラルアンテナである。このように、様々な形状のアンテナ素子８を用いることができ、スパイラルアンテナ以外の様々な形態の平面型アンテナ素子を用いることもできる。その他の構成は図２Ａ〜図５Ｂに示す構成と同様であるため説明を省略する。
【００２９】
図７Ａ〜７Ｂは、本開示のウェアラブルアンテナ装置の第３の実施形態を示す図である。本実施形態では、機能素子３が、ベスト１の後方（背中側）のみならず、肩部の前面に至るまで大面積に形成されている。なお、図７Ｂ等の展開図では、便宜上、ベスト１の後身頃と前身頃とが分離されて示されているが、実際にはそれらは連続しており、後身頃の全面に位置する機能素子３と、前身頃の肩部に位置する機能素子３は繋がっている。この構成では、機能素子３が大型化することでその機能が向上する。従って、大面積の機能素子３がアンテナ部２の指向性のさらなる向上に寄与するとともに、機能素子３がもう１つのアンテナ部として機能する場合の機能素子３自体の性能向上も図れる。その他の構成は第１の実施形態と同様であるため説明を省略する。そして、図７Ｃに示す変形例のように、本実施形態のアンテナ素子８も、四角形のスパイラルアンテナなど様々な形態の平面型アンテナ素子であってよい。
【００３０】
図８Ａ〜８Ｂは、本開示のウェアラブルアンテナ装置の第４の実施形態を示す図である。本実施形態では、第３の実施形態と同様に、機能素子３がベスト１の後方（背中側）のみならず、肩部の前面に至るまで大面積に形成されている。さらに、本実施形態では、アンテナ部２が、面ファスナー５，６ではなくスナップボタン１６，１７を用いてベスト１に取り付けられている。この構成でも、アンテナ部２のベスト１への取り付けが容易に行える。そして、図８Ｃに示す変形例のように、本実施形態においても、四角形のスパイラルアンテナなど様々な形態の平面型アンテナ素子８を用いることができる。
【００３１】
図９Ａ〜９Ｂは、本開示のウェアラブルアンテナ装置の第５の実施形態を示す図である。本実施形態では、第３，４の実施形態と同様に、機能素子３がベスト１の後方（背中側）のみならず、肩部の前面に至るまで大面積に形成されている。さらに、本実施形態では、アンテナ部２が、面ファスナー５，６やスナップボタン１６，１７ではなく、ファスナー１８，１９を用いてベスト１に取り付けられている。この構成でも、アンテナ部２のベスト１への取り付けが容易に行える。そして、図９Ｃに示す変形例のように、本実施形態においても、四角形のスパイラルアンテナなど様々な形態の平面型アンテナ素子８を用いることができる。
【００３２】
第１〜５の実施形態の面ファスナー５，６、スナップボタン１６，１７、及びファスナー１８，１９や、図示しないボタンなどの様々な衣料用着脱機構を用いて、アンテナ部２を衣服１に取り付けることができる。これらの衣料用着脱機構はいずれも、一般的に容易かつ低コストで入手でき、それらの取り付け作業も、それらを用いたアンテナ部２の着脱作業も極めて容易に行える。具体的にどのような着脱機構を用いるかは、使用者が任意に決定することができる。また、機能素子３も、同様な衣料用着脱機構を用いて衣服１に取り付けてもよい。
【００３３】
図１０Ａ〜１０Ｂは、本開示のウェアラブルアンテナ装置の第６の実施形態を示す図である。本実施形態では、衣服１としてベストではなくオーバーコートを用いており、そのオーバーコート１の後部（背中側）の内側に、スナップボタン２０を用いてアンテナ部２が取り付けられている。この構成では、給電部材１４およびそれに接続される電子機器（図１０Ａ，１０Ｂでは省略）を前方に露出させずに保持することができる。そして前部（腹部側）には機能素子が設けられていてよい。このように、衣服１のデザインや機能性に応じて、アンテナ部２の位置を変更することができる。また、第２〜５の実施形態のようなベストや第６の実施形態のようなオーバーコートに限られず、様々な衣服を用いて本開示のウェアラブルアンテナ装置を構成することができる。そして、その衣服のデザインや機能に応じて、腹部、胸部、肩部、背中部、腰部、臀部、腕部、脚部、首部、頭部、指部など身体のいかなる部位を誘電体として利用して、本開示のウェアラブルアンテナ装置を構成してもよい。すなわち、身体４の如何なる部分を挟んでアンテナ部２と機能素子３の少なくとも一部が対向する構成であっても、前述した本開示の効果（例えばアンテナ部２の指向性の向上など）を発揮することができる。
【００３４】
図１１に模式的に示す本開示のウェアラブルアンテナ装置の第７の実施形態は、機能素子３の一部のみが、身体収容部１ａを挟んでアンテナ部２と対向する構成である。このような構成であっても、前述した本開示の効果（例えばアンテナ部の指向性の向上など）がある程度発揮できる。また、本実施形態では、機能素子３に電波吸収体２１が設けられている。この構成は、機能素子３が電波を吸収する機能をさらに向上させ、必要とされる仕様に応じたウェアラブルアンテナ装置を構成することが容易にできる。
【００３５】
本開示では、アンテナ部２と機能素子３の間に、身体の一部を収容する身体収容部１ａが配置されており、身体収容部１ａに収容される身体４が特定の周波数特性を有する誘電体として機能する。本開示では、この身体４の誘電体としての機能、すなわち身体４の主要成分である水分で電波を吸収または減衰させることを積極的に利用して、ウェアラブルアンテナ装置の所望の性能が得られるように設計される。また、身体４の誘電体としての機能で、アンテナ部２の電波の受信および送信の指向性が向上し、それにより、例えば電波監視用に用いられるウェアラブルアンテナ装置として良好な機能および性能が実現する。
なお、本開示では、前述した第１〜７の実施形態の構成の一部を適宜に組み合わせた構成にすることも可能である。
【００３６】
以上、実施の形態を参照して本開示を説明したが、本開示は上記によって限定されるものではない。本開示の構成や詳細には、本開示のスコープ内で当業者が理解し得る様々な変更をすることができる。
【００３７】
この出願は、２０１７年５月２日に出願された日本出願特願２０１７−０９１９２８を基礎とする優先権を主張し、その開示の全てをここに取り込む。
【符号の説明】
【００３８】
１      衣服
１ａ    身体収容部
１ｂ    サイドベルト部
２      アンテナ部
３      機能素子
４      身体
５，６  面ファスナー
７      ベース
８      アンテナ素子
１５    面ファスナー（衣料用着脱機構）
１６，１７      スナップボタン（衣料用着脱機構）
１８，１９      ファスナー（衣料用着脱機構）
２０    スナップボタン（衣料用着脱機構）
２１      電波吸収体
【図１】
2018203462.tif 000003
【図２Ａ】
2018203462.tif 000004
【図２Ｂ】
2018203462.tif 000005
【図２Ｃ】
2018203462.tif 000006
【図３】
2018203462.tif 000007
【図４】
2018203462.tif 000008
【図５Ａ】
2018203462.tif 000009
【図５Ｂ】
2018203462.tif 000010
【図６Ａ】
2018203462.tif 000011
【図６Ｂ】
2018203462.tif 000012
【図６Ｃ】
2018203462.tif 000013
【図７Ａ】
2018203462.tif 000014
【図７Ｂ】
2018203462.tif 000015
【図７Ｃ】
2018203462.tif 000016
【図８Ａ】
2018203462.tif 000017
【図８Ｂ】
2018203462.tif 000018
【図８Ｃ】
2018203462.tif 000019
【図９Ａ】
2018203462.tif 000020
【図９Ｂ】
2018203462.tif 000021
【図９Ｃ】
2018203462.tif 000022
【図１０Ａ】
2018203462.tif 000023
【図１０Ｂ】
2018203462.tif 000024
【図１１】
2018203462.tif 000025
【国際調査報告】
2018203462.tif 000026
2018203462.tif 000027
2018203462.tif 000028
2018203462.tif 000029